(57)【要約】  本発明は、電気的なスイッチ装置（７１）と、該電気的なスイッチ装置（７１）を備えた電気的な装置（１）と、該電気的な装置（１）をスイッチ制御する方法とに関する。
2010533940.tif 000002
【特許請求の範囲】
【請求項１】
電気的なスイッチ装置（７１）において、
加速度センサ（５）と、
電気的なスイッチ手段（７）と、
電気導体路（３，１１，１２）と、
前記加速度センサ（５）および電気的なスイッチ手段（７）と接続されている信号路（６，６１，６２）とが設けられており、
前記加速度センサ（５）は、前記電気的なスイッチ手段（７）を駆動制御可能な信号が予め設定された加速度値において形成されるように構成されており、
前記電気導体路（３，１１，１２）は、前記電気的なスイッチ手段（７）を用いてスイッチ制御されることを特徴とする、
電気的なスイッチ装置（７１）。
【請求項２】
前記電気導体路（３，１１，１２）は、前記電気的なスイッチ手段（７）を用いて遮断される、請求項１記載の電気的なスイッチ装置（７１）。
【請求項３】
前記電気導体路（３，１１，１２）は電圧給電路である、請求項１または２記載の電気的なスイッチ装置（７１）。
【請求項４】
少なくとも前記加速度センサ（５）および電気的なスイッチ手段（７）は、１つの共通のハウジング内に配置されている、請求項１から３のいずれか１項記載の電気的なスイッチ装置（７１）。
【請求項５】
少なくとも前記電気的なスイッチ手段（７）は、液密に周囲から封止されている、請求項１から４のいずれか１項記載の電気的なスイッチ装置（７１）。
【請求項６】
請求項１から５のいずれか１項記載の電気的なスイッチ装置（７１）を備えた電気的な装置（１）において、
前記電気的な装置（１）には、前記電気導体路（３，１１，１２）と接続されている電気的な負荷（４）が設けられていることを特徴とする、
電気的な装置（１）。
【請求項７】
電気的な装置をスイッチ制御する方法において、
（ａ）第１の動作状態で前記装置を作動させるステップと、
（ｂ）ステップ（ａ）の間、前記装置に作用する加速度を測定するステップと、
（ｃ）ステップ（ｂ）において予め設定された加速度値が測定されると直ちに第２の動作状態で作動させるために前記電気的な装置をスイッチ制御するステップと、
（ｄ）ステップ（ｃ）の間、前記装置の状況を判定するステップと、
（ｅ）状況の判定結果が基準値に相応していれば、ステップ（ａ）に戻るステップ
とを含んでいることを特徴とする、
電気的な装置をスイッチ制御する方法。
【請求項８】
ステップ（ｅ）において状況の判定結果が基準値から逸脱している場合、前記装置は引き続き第２の動作状態で作動される、請求項７記載の電気的な装置をスイッチ制御する方法。
【請求項９】
ステップ（ｄ）において前記装置の状況を判定するために、該装置に作用する加速度が再び測定される、請求項７記載の電気的な装置をスイッチ制御する方法。
【請求項１０】
ステップ（ｄ）において、前記装置の状況が入力手段を用いて手動で判定される、請求項７記載の電気的な装置をスイッチ制御する方法。
【発明の詳細な説明】
【技術分野】
【０００１】
本発明は、電気的なスイッチ装置と、その電気的なスイッチ装置を備えた電気的な装置と、その電気的な装置をスイッチ制御する方法とに関する。
背景技術
【０００２】
電気的な装置のために、自由落下ないしはきわめてクリティカルな（衝突）加速の場合に、起こりうる損害を回避するために動作モードが変更させられるいくつかの保護方法が公知である。それ故にハードディスクの場合、自由落下に対する対応として保護措置（書き込みプロセスの中断、保護されている位置への読み書きヘッドの退避、ハードディスクモータの停止）が講じられると、データの安全性を改善することができるということが公知である。
【０００３】
発明の開示
本発明は、電気的な装置において操作安全性および動作確実性を改善することができる方法および構成に関する。
【０００４】
発明の利点
本発明は、電気的なスイッチ装置に関する。この本発明による電気的なスイッチ装置には、加速度センサと、電気的なスイッチ手段と、電気導体路と、この加速度センサおよび電気的なスイッチ手段と接続されている信号路とが設けられている。この場合の加速度センサは、電気的なスイッチ手段を駆動制御することができる信号が予め設定された加速度値において形成されるように構成されている。この場合、電気的なスイッチ手段を用いて電気導体路をスイッチ制御することができる。したがって有利には、電気導体路のための加速度依存型電子スイッチ装置が実現される。
【０００５】
電気的なスイッチ装置の有利な実施形態では、電気導体路が電気的なスイッチ手段を用いて遮断されるように構成されている。したがって有利には、電気導体路のための加速度依存型遮断スイッチが実現される。電気的なスイッチ装置の有利な実施形態では、電気導体路が電圧給電路であるように構成されている。有利には、予め設定された加速度値に至ると電圧給電部を開閉することができる。
【０００６】
電気的なスイッチ装置の有利な実施形態では、少なくとも加速度センサおよび電気的なスイッチ手段は１つの共通のハウジング内に配置されるように構成されている。電気的なスイッチ装置の殊に有利な実施形態では、少なくとも電気的なスイッチ手段は液密的に周囲から封止されるように構成されている。
【０００７】
本発明によれば、加速度感応式センサが電気的な装置内で使用され、通常ではない使用状況を識別、または識別可能とすることができる。これによって保護措置を行うよう指示することができ、これらの保護措置によって、使用者または使用者の直ぐ周辺または装置を、結果として生じる損傷から保護することができる。このような保護措置とは、例えば動作を低下させるモードまたはスタンバイモードへの変更、高電圧領域からの遮断または電圧給電部との電気的な遮断等である。
【０００８】
本発明は、電気的なスイッチ装置を備えた電気的な装置にも関する。この電気的な装置には本発明による電気的なスイッチ装置が設けられており、さらにこの場合の電気的な装置には電気導体路と接続されている電気的な負荷も設けられている。有利には、加速度に依存して異なる動作状態の間でこの電気的な装置をスイッチ制御することができる。
【０００９】
本発明は、次のステップを備えた電気的な装置をスイッチ制御する方法にも関する。すなわちこの方法は、（ａ）第１の動作状態で装置を作動させるステップと、（ｂ）ステップ（ａ）の間、この装置に作用する加速度を測定するステップと、（ｃ）ステップ（ｂ）において予め設定された加速度値が測定されると直ちに第２の動作状態で作動させるためにこの電気的な装置をスイッチ制御するステップと、（ｄ）ステップ（ｃ）の間、この装置の状況を判定するステップと、（ｅ）状況の判定結果が基準値に相応していれば、ステップ（ａ）に戻るステップとを含んでいる。
【００１０】
本発明による方法の有利な実施形態では、ステップ（ｅ）において状況の判定結果が基準値から逸脱している場合、装置は引き続き第２の動作状態で作動されるように構成されている。本発明による方法の有利な実施形態では、ステップ（ｄ）において装置の状況を判定するために、この装置に作用する加速度が再び測定されるように構成されている。本発明による方法のさらに別の有利な実施形態では、ステップ（ｄ）において装置の状況が入力手段を用いて手動で判定されるように実施されている。
【図面の簡単な説明】
【００１１】
【図１】従来技術による電気的な装置の概略図
【図２】本発明による加速度依存型スイッチ装置を備えた電気的な装置の第1の実施例の概略図
【図３】本発明による加速度依存型スイッチ装置を備えた電気的な装置の第２の実施例の概略図
【図４】本発明による電気的なスイッチ装置の実施例
【図５】本発明による電気的な装置をスイッチ制御する方法の概略図
【００１２】
実施例の説明
図１には、従来技術による電気的な装置が概略的に示されている。電気的な負荷４を備えた電気的または電子的な装置１は通常、電圧給電路３またはトランス２を介して直接、中央の電圧給電部（電力供給網）に接続される。落下後の衝突のような典型的ではない使用状況において、装置１内部を流れる電流の導体路を損傷するおそれがあり、壊れ易い回路コンポーネントへの短絡および導電部分への短絡、例えば外部から触れることのできる装置１のハウジング部分への短絡が生じてしまう。それ故に、使用者およびその周辺を危険にさらしてしまう可能性がある。
【００１３】
図２には、本発明による加速度依存型スイッチ装置を備えた電気的な装置の第１の実施例が示されている。本発明によれば、直接またはトランス２を介して給電端子の形態の電気導体路３を用いて中央の電圧給電部に接続されている電子的な装置１には、加速度センサ５が組み込まれる。この加速度センサ５は、クリティカルな加速度値が検知されると、信号路６を介しスイッチ手段７を用いて負荷４の電圧給電部を遮断することができる。このスイッチ手段７は遮断回路であり、信号路６に加わる信号に基づいて電気導体路３を遮断する。例えば自由落下の際に、場合によるとケーブルとの接続によって弱められて、クリティカルな加速度値が現れる可能性があり、なぜならば、通常は装置の自由落下に続いて衝突が起こるためである。自由落下の際に、全空間方向で１ｇ（重力加速度）より著しく低い加速度値を検知することができる。ただし、非常時に遮断するための基準として、加速度の突然の変化も用いることができるし、あるいは、動作中に突然生じる高い加速度（例えば１．５ｇより高い加速度）に対しても用いることができるのである。センサには電池またはバッテリから電流を供給することができるが、負荷４またはほかの装置１のコンポーネント内の既存の適切な電圧給電部も用いることができる。本発明の実施形態では、次の場合にスイッチ（図示せず）を用いてスイッチ手段７における電気的な遮断を再び解除することができる。すなわち、ある出来事の後に電圧給電部が遮断されており、さらに別の使用のために装置を再び起動すべき場合である。装置の外部でもスイッチ手段７を取り付けることができ、例えば中央の電圧給電部との接続部近くの電気導体路３の端部における電源プラグ内に取り付けることもできる。この場合、センサ５は信号路６を介してスイッチ手段７に接続され、この信号路６は電気導体路３のケーブルのところまたはケーブル内部に案内される。
【００１４】
図３には、本発明による加速度依存型スイッチ装置を備えた電気的な装置の第２の実施例が示されている。図２による実施例の代案として、スイッチ手段７はこの場合トランス２の前に配置されている。これによって、スイッチ手段７を用いてトランス２の前で電気導体路３を通して電圧給電を遮断することができる。
【００１５】
図４には、本発明による電気的なスイッチ装置の実施例が示されている。この図面には、スイッチ装置７１が概略的に示されている。この例示の図面では、２つの電気導体路３が中央の電圧給電部からスイッチ手段７へ案内されている。このスイッチ手段７内部には、電圧給電を遮断できる遮断部材１３１および１３２が配置されており、これらは例えば電磁継電器またはその他の素子でもよい。これらの遮断部材１３１および１３２は、信号路６１および６２を介した加速度感応式センサ５によって駆動制御される。この図面では、センサ５、信号路６１および６２並びにスイッチ手段７、すなわちスイッチ装置７１の全ての主要な部材が１つの共通の構成ユニット内に配置されている。図２または３による代替的な実施形態では、空間的にもスイッチ手段７から離してセンサ５を配置することができる。センサ５がクリティカルな状況を識別し、信号路６を介して遮断部材１３１および１３２に信号を出力すると、これらの遮断部材１３１および１３２によって電気導体路３を遮断することができる。
【００１６】
本発明の実施形態では、スイッチ手段７は水密に構成されている。この実施形態を用いると、衝突または落下によって例えば液体と接触する前に、例えばヘアドライヤのような電気的な装置を遮断し、ひいては電圧給電部を液体から電気的に分離することができる。これによって、ヘアドライヤが例えば水で満たされた浴槽に落とし込まれる前に、このヘアドライヤを遮断することができ、水中でも安全に遮断されたままとなる。なぜならば、スイッチ手段７が液密に周辺から遮断されているためである。
【００１７】
図５には、本発明による電気的な装置をスイッチ制御する方法が概略的に示されている。この方法は、（ａ）第１の動作状態で装置を作動させるステップと、（ｂ）ステップ（ａ）の間、この装置に作用する加速度を測定するステップと、（ｃ）ステップ（ｂ）において予め設定された加速度値が測定されると直ちに第２の動作状態で作動させるためにこの電気的な装置をスイッチ制御するステップと、（ｄ）ステップ（ｃ）の間、この装置の状況を判定するステップと、（ｅ）状況の判定結果が基準値に相応していれば、ステップ（ａ）に戻るステップとを含んでいる。
【００１８】
本発明による方法の実施形態では、ステップ（ｅ）において、状況の判定結果が基準値から逸脱している場合、装置は引き続き第２の動作状態で作動されるように構成されている。
【００１９】
本発明による方法の実施形態では、ステップ（ｄ）において装置の状況を判定するために、装置に作用する加速度が再び測定されるように構成されている。
【００２０】
本発明による方法の代替的な実施形態では、ステップ（ｄ）において装置の状況が入力手段を用いて手動で判定されるように構成されている。この装置の使用者は、全て異常がなければ、例えばスイッチを押してその装置を再び使用することができる。
【図１】
2010533940.tif 000003
【図２】
2010533940.tif 000004
【図３】
2010533940.tif 000005
【図４】
2010533940.tif 000006
【図５】
2010533940.tif 000007
【国際調査報告】
2010533940.tif 000008
2010533940.tif 000009
2010533940.tif 000010
2010533940.tif 000011
2010533940.tif 000012
2010533940.tif 000013
2010533940.tif 000014
2010533940.tif 000015